(57)【特許請求の範囲】
【請求項１】
中空の把持棒と、
屈曲可能とされて一端が上記把持棒の一端に取り付けられる中空可撓性チューブと、
円筒状部分を含んだハウジング本体部と該ハウジング本体部における上記円筒状部分に連なる先端部分とを有し、上記ハウジング本体部が上記中空可撓性チューブの他端に取り付けられるハウジング部と、
該ハウジング部内に収容される発光を視認させるための発光手段と、
上記ハウジング本体部内に収容された第１のスピーカー及び第１のマイクロホンと、
上記発光手段，第１のスピーカー及び第１のマイクロホンの夫々から上記中空可撓性チューブ内及び上記把持棒内を通じて伸びて上記把持棒の他端に至る配線が接続されるコントロール・ボックスと、
該コントロール・ボックスに接続されて、上記第１のスピーカーに放音を生じさせる信号を発生する第２のマイクロホンと上記第１のマイクロホンからの信号に基づく放音を行う第２のスピーカーと、
を備え、
上記ハウジング部が、上記先端部分が上記発光手段が発する光を通す複数の貫通孔が全体に亙って分散形成された半球状体とされて成ること、あるいは、上記先端部分が上記発光手段が発する光を通す第１の貫通孔が中央部分に形成された平面もしくは凸面を有する板状体とされるとともに上記ハウジング本体部の円筒状部分に上記発光手段が発する光を通す複数の第２の貫通孔が設けられて成ること、さらには、上記ハウジング本体部の円筒状部分に、上記第１のスピーカーからの音を上記ハウジング部外に放散させるとともに上記ハウジング部外からの音を上記第１のマイクロホンに到達させる貫通孔が設けられることを特徴とする被災者探索用発光装置。
【請求項２】
上記コントロール・ボックスに、上記第１のマイクロホンと上記コントロール・ボックスとの間を断続するスイッチが備えられることを特徴とする請求項１記載の被災者探索用発光装置。
【請求項３】
上記第２のマイクロホンと第２のスピーカーとが、使用者の頭部に装着されるヘッド・セットを形成することを特徴とする請求項１記載の被災者探索用発光装置。
【請求項４】
上記発光手段が、発光ダイオードもしくはランプと、該発光ダイオードもしくはランプを包囲する筒状体を成す第１のフレネルレンズ及び該第１のフレネルレンズが成す筒状体の一端を塞ぐ第２のフレネルレンズとを備えて構成され、上記発光ダイオードもしくはランプからの光が上記第１及び第２のフレネルレンズを透過して発せられるものとされることを特徴とする請求項１記載の被災者探索用発光装置。
【請求項５】
上記発光手段が、上記発光ダイオードもしくはランプを包囲する透明パイプを備え、上記第１のフレネルレンズが上記透明パイプに張り付けられるとともに、上記第２のフレネルレンズが上記透明パイプの一端に取り付けられることを特徴とする請求項４記載の被災者探索用発光装置。
【請求項６】
上記発光手段が、発光ダイオードもしくはランプと、該発光ダイオードもしくはランプを包囲する筒状体を成すフレネルレンズ及び該フレネルレンズが成す筒状体の一端を塞ぐ凸レンズとを備えて構成され、上記発光ダイオードもしくはランプからの光が上記フレネルレンズ及び凸レンズを透過して発せられるものとされることを特徴とする請求項１記載の被災者探索用発光装置。
【請求項７】
上記発光手段が、上記発光ダイオードもしくはランプを包囲する透明パイプを備え、上記フレネルレンズが上記透明パイプに張り付けられるとともに、上記凸レンズが上記透明パイプの一端に取り付けられることを特徴とする請求項６記載の被災者探索用発光装置。
【請求項８】
上記発光手段が、発光色の異なる複数の発光ダイオードもしくはランプを備えていることを特徴とする請求項４から請求項７までのいずれかに記載の被災者探索用発光装置。
【請求項９】
中空の把持棒と、屈曲可能とされて一端が上記把持棒の一端に取り付けられる中空可撓性チューブと、円筒状部分を含んだハウジング本体部と該ハウジング本体部における上記円筒状部分に連なる先端部分とを有し、上記ハウジング本体部が上記中空可撓性チューブの他端に取り付けられるハウジング部と、該ハウジング部内に収容される発光を視認させるための発光手段と、上記ハウジング本体部内に収容された第１のスピーカー及び第１のマイクロホンと、上記発光手段，第１のスピーカー及び第１のマイクロホンの夫々から上記中空可撓性チューブ内及び上記把持棒内を通じて伸びて上記把持棒の他端に至る配線が接続されるコントロール・ボックスと、該コントロール・ボックスに接続されて、上記第１のスピーカーに放音を生じさせる信号を発生する第２のマイクロホンと上記第１のマイクロホンからの信号に基づく放音を行う第２のスピーカーとを備え、上記ハウジング部が、上記先端部分が上記発光手段が発する光を通す複数の貫通孔が全体に亙って分散形成された半球状体とされて成ること、あるいは、上記先端部分が上記発光手段が発する光を通す第１の貫通孔が中央部分に形成された平面もしくは凸面を有する板状体とされるとともに上記ハウジング本体部の円筒状部分に上記発光手段が発する光を通す複数の第２の貫通孔が設けられて成ること、さらには、上記ハウジング本体部の円筒状部分に、上記第１のスピーカーからの音を上記ハウジング部外に放散させるとともに上記ハウジング部外からの音を上記第１のマイクロホンに到達させる貫通孔が設けられることを特徴とする第１の被災者探索用発光装置と、少なくとも、中空の把持棒と、屈曲可能とされて一端が上記把持棒の一端に取り付けられる中空可撓性チューブと、円筒状部分を含んだハウジング本体部と該ハウジング本体部における上記円筒状部分に連なる先端部分とを有して、上記ハウジング本体部が上記中空可撓性チューブの他端に取り付けられるハウジング部と、該ハウジング部内に収容される発光を視認させるための発光手段と、上記発光手段から上記中空可撓性チューブ内及び上記把持棒内を通じて伸びて上記把持棒の他端に至る配線が接続されるコントロール・ボックスとを備え、上記ハウジング部が、上記先端部分が上記発光手段が発する光を通す複数の貫通孔が全体に亙って分散形成された半球状体とされて成ること、あるいは、上記先端部分が上記発光手段が発する光を通す第１の貫通孔が中央部分に形成された平面もしくは凸面を有する板状体とされるとともに上記ハウジング本体部の円筒状部分に上記発光手段が発する光を通す複数の第２の貫通孔が設けられて成ることを特徴とする一つもしくは複数の第２の被災者探索用発光装置とを、各々の上記発光手段の発光色が互いに相違するものとして用意し、
上記第１及び第２の被災者探索用発光装置の夫々の上記ハウジング部を、被災者の存在が想定される位置の周囲に配置して、
上記被災者の存在を確認するとともに、該被災者が上記第１及び第２の被災者探索用発光装置の夫々の上記ハウジング部から放散される光を認識する方向に基づいて、上記被災者の位置を特定することを特徴とする被災者探索方法。
【請求項１０】
上記第２の被災者探索用発光装置が２個とされることを特徴とする請求項９記載の被災者探索方法。
【発明の詳細な説明】
【０００１】
【発明の属する技術分野】
本発明は、災害に遭遇した被災者の探索に用いられる被災者探索用発光装置、及び、それを使用して被災者を探索する被災者探索方法に関する。
【０００２】
【従来の技術】
地震等の災害を受けて倒壊したビルディングや一般家屋等に閉じ込められた被災者の探索及びその後の救出は、通常、一刻の猶予も置けないものであり、短時間に実施されなければならない。しかし、倒壊したビルディングや一般家屋内等とされる探索対象箇所は、人間が入り難い狭隘な場所，暗い場所あるいは危険を伴う場所であることが多く、被災者を目視により検索して確認することは容易ではない。
【０００３】
そこで、ビルディングや一般家屋等が倒壊して生じた瓦礫の下に埋没した、あるいは、閉じ込められた被災者の探索には、警察犬や災害救助犬を訓練士と共に出動させて、警察犬や災害救助犬の嗅覚を頼りして被災者の存在を検知することも行われている。しかしながら、現状にあっては、訓練が行き届いた警察犬や災害救助犬の数は極めて少なく、警察犬や災害救助犬を出動させることができる状況は限られてしまう。
【０００４】
このようなもとで、本願の発明者は、特許第３０４０３５１号公報に示されるように、画像撮像装置（カメラ）を利用することにより、被災者の探索を目視で行うことができる目視検索装置及び目視検索用カメラ装置を既に提案している。斯かる目視検索装置及び目視検索用カメラ装置のうちの目視検索装置は、伸縮自在とされた中空の把持棒の先端に屈曲可能な中空チューブを介して取り付けられたカメラ部を備え、カメラ部により得られる撮像出力信号を、カメラ部から中空チューブ及び中空の把持棒を通じて中空の把持棒外に導出される配線により取り出して画像表示装置（画像モニター）に供給し、画像表示装置によってカメラ部による撮像画像を表示するものとされる。それにより、カメラ部が、例えば、倒壊したビルディングや一般家屋内等とされる探索対象箇所の画像を撮像するもとにあっては、画像表示装置により表示される画像を目視することにより、被災者の探索を行うことができることになる。
【０００５】
【発明が解決しようとする課題】
上述の従来提案されている目視検索装置によれば、伸縮自在とされた中空の把持棒を伸縮させ、さらには、中空の把持棒の先端から伸びる屈曲可能な中空チューブを屈曲させることにより、中空チューブにより支持されたカメラ部を、人間が入り難い狭隘な場所，暗い場所あるいは危険を伴う場所とされることが多い探索対象箇所に送り込むことができる。従って、例えば、瓦礫の下に埋没した、あるいは、閉じ込められた被災者の探索に際して、大なる貢献をなすことが期待される。
【０００６】
しかしながら、このようなカメラ部を備えた目視検索装置が用いられて、被災者の探索が行われる場合には、被災者の存在が確認されても、被災者の実際の位置の特定に比較的長い時間が要される、あるいは、被災者の実際の位置の特定が困難とされるという問題がある。例えば、探索対象箇所に送り込まれたカメラ部により被災者が撮像され、画像表示装置により被災者の画像が表示されて、被災者が目視されたとしても、そのときカメラ部が撮像している被災者の位置が直ちに把握される訳ではなく、被災者の実際の位置の特定には、幾つかの情報を収集してそれらを整理することが要される。
【０００７】
斯かる点に鑑み、本願の特許請求の範囲に記載された発明は、地震等の災害により倒壊したビルディングや一般家屋内等に閉じ込められた被災者の存在を確認でき、さらには、存在が確認された被災者の位置を確実かつ容易に特定することを可能とする被災者探索用発光装置、及び、斯かる被災者探索用発光装置を使用して被災者の探索を行う被災者探索方法を提供する。
【０００８】
【課題を解決するための手段】
本願の特許請求の範囲における請求項１から請求項８までのいずれかに記載された発明（以下、本願の第１の発明という。）に係る被災者探索用発光装置は、中空の把持棒と、屈曲可能とされて一端が把持棒の一端に取り付けられる中空可撓性チューブと、円筒状部分を含んだハウジング本体部とハウジング本体部における円筒状部分に連なる先端部分とを有し、ハウジング本体部が中空可撓性チューブの他端に取り付けられるハウジング部と、ハウジング部内に収容される発光を視認させるための発光手段と、ハウジング本体部内に収容された第１のスピーカー及び第１のマイクロホンと、発光手段，第１のスピーカー及び第１のマイクロホンの夫々から中空可撓性チューブ内及び把持棒内を通じて伸びて把持棒の他端に至る配線が接続されるコントロール・ボックスと、コントロール・ボックスに接続されて、第１のスピーカーに放音を生じさせる信号を発生する第２のマイクロホンと第１のマイクロホンからの信号に基づく放音を行う第２のスピーカーとを備え、ハウジング部が、先端部分が発光手段が発する光を通す複数の貫通孔が全体に亙って分散形成された半球状体とされて成ること、あるいは、先端部分が発光手段が発する光を通す第１の貫通孔が中央部分に形成された平面もしくは凸面を有する板状体とされるとともにハウジング本体部の円筒状部分に発光手段が発する光を通す複数の第２の貫通孔が設けられて成ること、さらには、ハウジング本体部の円筒状部分に、第１のスピーカーからの音をハウジング部外に放散させるとともにハウジング部外からの音を第１のマイクロホンに到達させる貫通孔が設けられることを特徴とするものとされる。
【０００９】
また、本願の特許請求の範囲における請求項９及び請求項１０の夫々に記載された発明（以下、本願の第２の発明という。）に係る被災者探索方法は、上述の本願の第１の発明に係る被災者探索用発光装置とされる第１の被災者探索用発光装置と、少なくとも、中空の把持棒と、屈曲可能とされて一端が把持棒の一端に取り付けられる中空可撓性チューブと、円筒状部分を含んだハウジング本体部とハウジング本体部における円筒状部分に連なる先端部分とを有し、ハウジング本体部が中空可撓性チューブの他端に取り付けられるハウジング部と、ハウジング本体部内に収容される発光を視認させるための発光手段と、発光手段から中空可撓性チューブ内及び把持棒内を通じて伸びて把持棒の他端に至る配線が接続されるコントロール・ボックスとを備え、ハウジング部が、先端部分が発光手段が発する光を通す複数の貫通孔が全体に亙って分散形成された半球状体とされて成ること、あるいは、先端部分が発光手段が発する光を通す第１の貫通孔が中央部分に形成された平面もしくは凸面を有する板状体とされるとともにハウジング本体部の円筒状部分に発光手段が発する光を通す複数の第２の貫通孔が設けられて成ることを特徴とする一つもしくは複数の第２の被災者探索用発光装置とを、各々の発光手段の発光色が互いに相違するものとして用意し、第１及び第２の被災者探索用発光装置の夫々のハウジング部を、被災者の存在が想定される位置の周囲に配置して、被災者の存在を確認するとともに、被災者が第１及び第２の被災者探索用発光装置の夫々のハウジング部から放散される光を認識する方向に基づいて、被災者の位置を特定することを特徴とするものとされる。
【００１０】
本願の第１の発明に係る被災者探索用発光装置、あるいは、本願の第２の発明に係る被災者探索方法において用いられる被災者探索用発光装置にあっては、ハウジング部が、先端部分が発光手段が発する光を通す複数の貫通孔が全体に亙って分散形成された半球状体とされて成るもの、あるいは、先端部分が発光手段が発する光を通す第１の貫通孔が中央部分に形成された平面もしくは凸面を有する板状体とされるとともにハウジング本体部の円筒状部分に発光手段が発する光を通す複数の第２の貫通孔が設けられて成るものとされており、それにより、発光手段により発せられて、ハウジング部の半球状体を成す先端部分に分散形成された複数の貫通孔、あるいは、平面もしくは凸面を有する板状体を成す先端部分の中央部分に形成された第１の貫通孔とハウジング本体部の円筒状部分に設けられた複数の第２の貫通孔とを通じた光が、ハウジング部の半球状体を成す先端部分の周囲、あるいは、板状体を成す先端部分及びハウジング本体部の円筒状部分の周囲に放散される。
【００１１】
また、本願の第１の発明に係る被災者探索用発光装置にあっては、ハウジング部が、そのハウジング本体部の円筒状部分に、第１のスピーカーからの音をハウジング部外に放散させるとともにハウジング部外からの音を第１のマイクロホンに到達させる貫通孔が設けられたものとされており、それにより、第１のスピーカーからの音がハウジング本体部の円筒状部分に設けられた貫通孔を通じてハウジング部外に容易に放散されるとともに、ハウジング部外からの音がハウジング本体部の円筒状部分に設けられた貫通孔を通じて第１のマイクロホンに容易に到達する。
【００１２】
そして、ハウジング部内に配された第１のスピーカー及び第１のマイクロホンとコントロール・ボックスに接続された第２のマイクロホン及び第２のスピーカーとの間での、双方向通信が可能とされ、それによって、災害現場における被災者への呼び掛け，被災者への応答，被災者との会話や連絡を容易に行うことができ、被災者の位置の正確な特定が可能とされる。尚、この場合、コントロール・ボックスに、ハウジング部内に配された第１のマイクロホンとコントロール・ボックスとの間を断続するためのスイッチが備えられていることが好ましい。なぜなら、例えば、ビルディングや一般家屋等が倒壊して生じた瓦礫の中にハウジング部が挿入されるとき、この際に発せられる雑音が、ハウジング部内に配された第１のマイクロホンによって集音されて、コントロール・ボックスに接続された第２のスピーカーに、一種の衝撃音として伝わる場合があるからである。そこで、例えば、瓦礫の中にハウジング部が挿入されるときには、コントロール・ボックスに設けられたスイッチによりハウジング部内に配された第１のマイクロホンがコントロール・ボックスから遮断され、その後、瓦礫の中に挿入されたハウジング部に配された第１のスピーカー及び第１のマイクロホンを通じて、被災者への呼び掛け，被災者への応答，被災者との会話や連絡を行うときには、コントロール・ボックスに設けられたスイッチによりハウジング部内に配された第１のマイクロホンがコントロール・ボックスに接続されるようにすることが望まれるのである。
【００１３】
コントロール・ボックスに接続される第２のマイクロホン及び第２のスピーカーは、使用者の頭部に装着されるヘッド・セットを形成するものとされることが好ましい。また、コントロール・ボックスは、例えば、パーソナルコンピュータにより構成されてもよい。そして、コントロール・ボックスには電源が内蔵されることが好ましい。その際における電源は、例えば、各種の電池を用いて構成することができる。
【００１４】
尚、必用に応じて、ハウジング部にガスセンサーが収納されてもよい。斯かる際にガスセンサーにより検出されるべきガスとしては、酸素ガス，二酸化炭素ガス，一酸化炭素ガス．水素ガス，プロパンガス，都市ガス等の各種ガスが挙げられる。また、ガスセンサーの出力に基づき、例えば、コントロール・ボックスに備えられたメーターや液晶表示部等によりガス濃度が表示されるようになすことができる。
【００１５】
本願の第１の発明に係る被災者探索用発光装置、あるいは、本願の第２の発明に係る被災者探索方法において用いられる被災者探索用発光装置にあっては、発光を視認させるための発光手段は、例えば、以下の第１の構造あるいは第２の構造をとるものとされる。
【００１６】
発光を視認させるための発光手段が第１の構造をとる場合には、当該発光手段が、発光ダイオードもしくはランプと、それを包囲する筒状体を成す第１のフレネルレンズ及び第１のフレネルレンズが成す筒状体の一端を塞ぐ第２のフレネルレンズとを備えて構成され、発光ダイオードもしくはランプからの光が第１及び第２のフレネルレンズを透過して発せられる。また、第１の構造をとる発光手段は、更に、発光ダイオードもしくはランプを包囲する透明パイプを備えるものとされ、第１のフレネルレンズが透明パイプに張り付けられるとともに、第２のフレネルレンズが透明パイプの一端に取り付けられる。尚、第１のフレネルレンズとして、プラスチック製のジート状に形成されたフレネルレンズが、また、第２のフレネルレンズとして、プラスチック製の板状に形成されたフレネルレンズが用いられることが望ましい。透明パイプは、例えば、ポリカーボネート樹脂材やアクリル樹脂材によって作製されることが好ましい。
【００１７】
発光を視認させるための発光手段が第２の構造をとる場合には、当該発光手段が、発光ダイオードもしくはランプと、それを包囲する筒状体を成すフレネルレンズ及びフレネルレンズが成す筒状体の一端を塞ぐ凸レンズとを備えて構成され、発光ダイオードもしくはランプからの光がフレネルレンズ及び凸レンズを透過して発せられるものとされる。また、第２の構造をとる発光手段は、更に、発光ダイオードもしくはランプを包囲する透明パイプを備え、フレネルレンズが透明パイプに張り付けられるとともに、凸レンズが透明パイプの一端に取り付けられる。尚、フレネルレンズが、プラスチック製のシート状のものとされ、凸レンズもプラスチック製のものとされることが望ましい。透明パイプは、例えば、ポリカーボネート樹脂材やアクリル樹脂材によって作製されることが好ましい。
【００１８】
このような、例えば、第１の構造あるいは第２の構造をとるものとされる発光手段は、発光色の異なる複数の発光ダイオードもしくはランプを備えるようにされ得るものである。斯かる際における異なる発光色としては、例えば、赤色，白色，青色，緑色，黄色等が挙げられる。
【００１９】
そして、ハウジング部におけるハウジング本体部の円筒状部分は、例えば、アルミニウム，ステンレス鋼等の各種の金属あるいは合金，各種のプラスチック，各種のガラス繊維強化プラスチック等により作製され得るものである。また、ハウジング部における半球状体を成す、あるいは、平面もしくは凸面を有する板状体を成す先端部分は、例えば、アルミニウム，ステンレス鋼等の各種の金属あるいは合金，各種のプラスチック，各種のガラス繊維強化プラスチック等により作製され得るものである。
【００２０】
半球状体を成す先端部分を有したハウジング部の場合には、半球状体を成す先端部分の底部にネジ山を形成するとともにハウジング本体部の円筒状部分の一端にもネジ山を形成して、両ネジ山を相互螺合する構造とすれば、内部に配される発光手段の保守等を容易に行うことができる。但し、このような構成に限定するものではない。また、発光手段を基板に取り付け、斯かる基板を先端部分とハウジング本体部の円筒状部分との相互螺合部分に固定する構造とすれば、発光手段の保守等を一層容易に行うことができる。
【００２１】
平面もしくは凸面を有する板状体を成す先端部分を有したハウジング部の場合には、板状体を成す先端部分をハウジング本体部の円筒状部分の一端にネジ止めすること、あるいは、ハウジング本体部の円筒状部分の一端に螺合させることができ、そうすることにより、内部に配される発光手段の保守等を容易に行うことができる。但し、このような構成に限定するものではない。また、発光手段を基板に取り付け、斯かる基板をハウジング本体部の円筒状部分に固定する構造とすれば、発光手段の保守等を一層容易に行うことができる。
【００２２】
さらに、本願の第１の発明に係る被災者探索用発光装置、あるいは、本願の第２の発明に係る被災者探索方法において用いられる被災者探索用発光装置にあっては、中空の把持棒は、例えば、複数の中空パイプが、順次、入れ子式に連結されて構成される。その際、中空パイプは、例えば、ステンレス鋼やアルミニウムといった金属や合金，ガラス繊維強化プラスチックにより作製され得るものとされる。また、中空可撓性チューブは、例えば、ステンレス鋼やアルミニウムから成る金属帯状部材が螺旋状に巻かれて成るチューブ、あるいは、斯かるチューブの内部に可撓性を有したプラスチック材により作製されたチューブが挿入されて成る２重構造チューブとされる。そして、中空の把持棒の一端への中空可撓性チューブの一端の取り付けは、例えば、いずれか一方に螺合部（ネジ山）を設けておき、他方に取り付けられたナットをネジ山に螺合させることにより、あるいは、両者にネジ山を切っておき、それらを相互に螺合させることによって行うことができる。中空可撓性チューブの他端へのハウジング部におけるハウジング本体部の取り付けも、同様の方法で行うことができる。
【００２３】
【発明の実施の形態】
図１は、本願の第１の発明に係る被災者探索用発光装置の第１の例（実施例１）を示し、図１に示される実施例１は、伸縮可能とされた中空の把持棒１０と、屈曲可能とされて一端が把持棒１０の一端に取り付けられた中空可撓性チューブ１３と、円筒状部分が中空可撓性チューブ１３の他端に取り付けられたハウジング部２０と、把持棒１０の他端に取り付けられたグリップタイプのコントロール・ボックス１５と、を備えて構成されている。
【００２４】
ハウジング部２０の詳細構造は、図２に示される。ハウジング部２０は、図２に示されるように、円筒状部分を含んだハウジング本体部２５とそれに連結される先端部分を成すキャップ部２１とを備えて構成されている。キャップ部２１は半球状体を成しており、キャップ部２１の底部にはネジ山２４が設けられている。ハウジング本体部２５は、円筒形状と漏斗形状とを組み合わせたような複合形状を成しており、円筒状部分の一端にはネジ山２８が設けられている。そして、ハウジング本体部２５の円筒状部分に設けられたネジ山２８とキャップ部２１の底部に設けられたネジ山２４とが相互螺合することにより、ハウジング本体部２５にキャップ部２１が取り付けられる。
【００２５】
半球状体のキャップ部２１には、その全体に亙って光を通す複数の貫通孔２３が分散形成されている。また、ハウジング本体部２５の円筒状部分には、音を通す複数の貫通孔２９が形成されている。
【００２６】
このようなハウジング部２０における円筒状部分を含んだハウジング本体部２５及び半球状体の先端部分を成すキャップ部２１は、例えば、プラスチック材（具体的には、例えば、ポリカーボネート樹脂材）によって作製される。また、ハウジング部２０におけるハウジング本体部２５の円筒状部分の断面の外形寸法は、例えば、４ｃｍ程度とされる。
【００２７】
そして、ハウジング部２０内には、発光ダイオード（ＬＥＤ）３０，第１のフレネルレンズ３１及び第２のフレネルレンズ３２を含んで構成される発光を視認させるための発光手段と、コンデンサーマイクロホンとされたマイクロホン４０とスピーカー４１とが収容されている。発光手段は、ハウジング部２０におけるキャップ部２１の内側に配されており、また、マイクロホン４０とスピーカー４１とは、ハウジング部２０におけるハウジング本体部２５の内部に配されている。
【００２８】
発光ダイオード３０と共に発光手段を構成する第１のフレネルレンズ３１は、表面に凹凸が形成されたシード材料が円筒状に巻かれて成るものとされており、基板２２に取り付けられた発光ダイオード３０の側面側を包囲して配されている。より具体的には、円筒状の筒状体を成す第１のフレネルレンズ３１が、基板２２に取り付けられた発光ダイオード３０を取り囲むようにして、基板２２に、例えば、接着剤が用いられて取り付けられている。また、発光ダイオード３０と共に発光手段を構成する第２のフレネルレンズ３２は、フレネルレンズ３１が成す円筒状の筒状体の一端を塞いで、第１のフレネルレンズ３１と第２のフレネルレンズ３２とによって囲まれた空間内に発光ダイオード３０が配されるようにしている。より具体的には、第２のフレネルレンズ３２は、第１のフレネルレンズ３１が成す円筒状の筒状体の一端に、例えば、接着剤が用いられて取り付けられている。
【００２９】
このように構成されている発光手段は、ハウジング部２０における複数の貫通孔２３が全体に亙って分散形成されている半球状体のキャップ部２１の内側に配されているので、発光ダイオード３０が発光状態におかれるときには、キャップ部２１に分散形成された複数の貫通孔２３が、発光ダイオード３０から発して第１のフレネルレンズ３１及び第２のフレネルレンズ３２を通じた光を、ハウジング部２０外におけるキャップ部２１の周囲へと放散させる。従って、このとき発光ダイオード３０からの光を放散するハウジング部２０は、その外部における極めて広い範囲に亙る位置から容易かつ明瞭に見出すことができるものとされる。
【００３０】
発光ダイオード３０が取り付けられた基板２２は、ハウジング２０における、ハウジング本体部２５の円筒状部分に設けられたネジ山２８とキャップ部２１の底部に設けられたネジ山２４とが相互螺合する螺合部分に固定されている。また、ハウジング本体部２５の内部には、防塵フィルター２６が収められており、ハウジング本体部２５における漏斗状をなす部分と防塵フィルター２６とによって囲まれた空間内に、マイクロホン４０とスピーカー４１とが配されている。防塵フィルター２６，マイクロホン４０及びスピーカー４１は、ハウジング本体部２５の内壁に設けられたボス部（図示せず）にビス（図示せず）によって取り付けられている。そして、ハウジング本体部２５の円筒状部分における基板２２と防塵フィルター２６との間となる部分に、複数の貫通孔２９が設けられている。なお、防塵フィルター２６は、音が自由に通過できるものとされる。
【００３１】
斯かるハウジング本体部２５の円筒状部分における基板２２と防塵フィルター２６との間となる部分に設けられた、各々が音を通す複数の貫通孔２９は、スピーカー４１からの音をハウジング部２０外におけるハウジング本体部２５の周囲に放散させるとともに、ハウジング部２０外におけるハウジング本体部２５の周囲からの音をマイクロホン４０に到達させる。従って、スピーカー４１は、それに供給される信号に応じて発する音を、ハウジング部２０の外部における広い範囲に亙って届かせることができ、また、マイクロホン４０は、ハウジング部２０の外部における広い範囲からの音を収音できて、それに応じた信号を発生させることになる。
【００３２】
図１に示される把持棒１０は、例えば、ガラス繊維強化プラスチックにより作製された複数の中空パイプ１１から構成されており、中空パイプ１１を、入れ子式に連結されて成る構造を有している。中空パイプ１１の外面には、配線を巻き取るためのフック１２が取り付けられている。また、中空可撓性チューブ１３は、例えば、ステンレス鋼から成る帯状部材が螺旋状に巻かれて成るチューブにより構成されている。把持棒１０の一端への中空可撓性チューブ１３の一端の取り付けは、例えば、把持棒１０に螺合部（ネジ山）を設けておき、中空可撓性チューブ１３に取り付けられたナット１４Ａを把持棒１０に設けられたネジ山に螺合させることによって行うことができる。また、中空可撓性チューブ１３の他端へのハウジング部２０におけるハウジング本体部２５の取り付けも、中空可撓性チューブ１３に取り付けられたナット１４Ｂをハウジング部２０におけるハウジング本体部２５に設けられたネジ山２７に螺合させることによって行うことができる。
【００３３】
中空可撓性チューブ１３にあっては、例えば、使用者によりハウジング部２０に力が加えられることにより、あるいは、ハウジング部２０に外力が加わることにより、把持棒１０への中空可撓性チューブ１３の取付部を中心あるいは支点とした屈曲が可能とされる。即ち、中空可撓性チューブ１３は、その形状を、例えば、「く」の字状，「Ｓ」字状，「Ｌ」字状，「Ｃ」字状等に、あるいは、弧を描くように、更には、蛇行するように、容易にかつ高い自由度をもって変化させることができる。
【００３４】
把持棒１０の他端に取り付けられたグリップタイプのコントロール・ボックス１５には、図２に示される、発光手段を構成する発光ダイオード３０から伸びる配線３３、及び、マイクロホン４０及びスピーカー４１から伸びる配線４２が接続される。これらの配線３３及び４２は、発光ダイオード３０，マイクロホン４０及びスピーカー４１から、中空可撓性チューブ１３及び中空の把持棒１０の内部を通じて、コントロール・ボックス１５が取り付けられた把持棒１０の他端に導出される。
【００３５】
コントロール・ボックス１５内には、例えば、乾電池で成る電源（図示せず）が収められている。また、コントロール・ボックス１５には、電源スイッチを始めとする各種のスイッチが設けられており、それらのスイッチの一つは、マイクロホン４０とコントロール・ボックス１５との間を断続し、マイクロホン４０に、コントロール・ボックス１５に電気的に接続された状態とコントロール・ボックス１５から電気的に遮断された状態とを選択的にとらせるためのものとされる。
【００３６】
さらに、コントロール・ボックス１５には、小型のマイクロホンとイヤホンを成すものとされた超小型のスピーカーとを含んで構成され、使用者の頭部に装着されるヘッド・セット１６が接続されている。ヘッド・セット１６を構成する小型のマイクロホンは、ハウジング部２０内に収容されたスピーカー４１に放音を生じさせる信号を発生し、また、ヘッド・セット１６を構成するイヤホンを成すものとされた超小型のスピーカーは、ハウジング部２０内に収容されたマイクロホン４０からの信号に基づく放音を行う。
【００３７】
図３は、本願の第１の発明に係る被災者探索用発光装置の第２の例（実施例２）における、前述の実施例１におけるハウジング部２０に対応するハウジング部２０を示す。実施例２におけるハウジング部２０以外の部分は、実施例１の場合と同様に構成されるので、図示及び説明は省略される。
【００３８】
図３に示されるハウジング部２０にあっても、実施例１におけるハウジング部２０と同様に構成された部分が多々含まれており、それらの部分については、図３において図１と共通の符号が付されて示されており、詳細説明は省略される。
【００３９】
図３に示されるハウジング部２０においては、発光ダイオード３０，第１のフレネルレンズ３１及び第２のフレネルレンズ３２を含んで構成される発光を視認させるための発光手段が、発光ダイオード３０，第１のフレネルレンズ３１及び第２のフレネルレンズ３２に加えて、発光ダイオード３０の側面側を包囲する透明パイプ３４を含んでいる。この透明パイプ３４は、例えば、ポリカーボネート樹脂材あるいはアクリル樹脂材によって作製され、接着剤が用いられて基板２２に固定されている。そして、透明パイプ３４の内壁面に第１のフレネルレンズ３１が張り付けられており、さらに、透明パイプ３４の一端に第２のフレネルレンズ３２が、例えば、接着剤が用いられて取り付けられている。従って、発光ダイオード３０は、内壁面に第１のフレネルレンズ３１が張り付けられ、一端に第２のフレネルレンズ３２が取り付けられた、透明パイプ３４の内部に配されていることになる。
【００４０】
図３に示されるハウジング部２０におけるその他の構成は、実施例１におけるハウジング部２０と同様である。そして、斯かる図３に示されるハウジング部２０を備えた実施例２にあっても、その動作及び作用効果は、実施例１の場合と略同様である。
【００４１】
図４は、本願の第１の発明に係る被災者探索用発光装置の第３の例（実施例３）における、前述の実施例１におけるハウジング部２０に対応するハウジング部２０を示す。実施例３におけるハウジング部２０以外の部分は、実施例１の場合と同様に構成されるので、図示及び説明は省略される。
【００４２】
図４に示されるハウジング部２０にあっても、実施例１におけるハウジング部２０と同様に構成された部分が多々含まれており、それらの部分については、図４において図１と共通の符号が付されて示されており、詳細説明は省略される。
【００４３】
図４に示されるハウジング部２０においては、発光ダイオード３０，フレネルレンズ３５及び凸レンズ３６を含んで構成される発光を視認させるための発光手段が備えられている。フレネルレンズ３５は、実施例１における第１のフレネルレンズ３１に相当するものであり、凸レンズ３６は、実施例１における第２のフレネルレンズ３２に代わるものであって、フレネルレンズ３５が成す円筒状の筒状体の一端に、例えば、接着剤が用いられて取り付けられている。この凸レンズ３６は、例えば、プラスチック材によって作製され、果たす役割は、実施例１における第２のフレネルレンズ３２と同様である。
【００４４】
図４に示されるハウジング部２０におけるその他の構成は、実施例１におけるハウジング部２０と同様である。そして、斯かる図４に示されるハウジング部２０を備えた実施例３にあっても、その動作及び作用効果は、実施例１の場合と略同様である。
【００４５】
図５は、本願の第１の発明に係る被災者探索用発光装置の第４の例（実施例４）における、実施例１におけるハウジング部２０に対応するハウジング部２０を示す。実施例４におけるハウジング部２０以外の部分は、実施例１の場合と同様に構成されるので、図示及び説明は省略される。
【００４６】
図５に示されるハウジング部２０にあっては、図４に示される実施例３におけるハウジング部２０と同様に構成された部分が多々含まれており、それらの部分については、図５において図４と共通の符号が付されて示されており、詳細説明は省略される。
【００４７】
図５に示されるハウジング部２０においては、発光ダイオード３０，フレネルレンズ３５及び凸レンズ３６を含んで構成される発光を視認させるための発光手段が、発光ダイオード３０，フレネルレンズ３５及び凸レンズ３６に加えて、実施例２における透明パイプ３４に相当する、発光ダイオード３０の側面側を包囲する透明パイプ３４を含んでいる。そして、パイプ３４は、例えば、接着剤が用いられて基板２２に固定されていて、その内壁面にフレネルレンズ３５が張り付けられており、さらに、その一端に凸レンズ３６が、例えば、接着剤が用いられて取り付けられている。従って、発光ダイオード３０は、内壁面にフレネルレンズ３５が張り付けられ、一端に凸レンズ３６が取り付けられた、透明パイプ３４の内部に配されていることになる。
【００４８】
図５に示されるハウジング部２０におけるその他の構成は、実施例３におけるハウジング部２０と同様である。そして、斯かる図５に示されるハウジング部２０を備えた実施例４にあっても、その動作及び作用効果は、実施例１の場合と略同様である。
【００４９】
図６は、本願の第１の発明に係る被災者探索用発光装置の第５の例（実施例５）における、実施例１におけるハウジング部２０に対応するハウジング部５０を示す。実施例５におけるハウジング部５０以外の部分は、実施例１の場合と同様に構成されるので、図示及び説明は省略される。
【００５０】
図６に示されるハウジング部５０にあっては、ハウジング本体部５５とその一端に配された先端部分を成す先端板５１とを備えて構成されている。ハウジング本体部５５は、円筒形状と漏斗形状とを組み合わせたような複合形状を成しており、その円筒状部分には、各々が光を通す複数の貫通孔５４が形成され、さらに、各々が音を通す複数の貫通孔５９が形成されている。また、先端板５１は、平面を有する平板状を成すものとされていて、その中央部分に、光を通す貫通孔５３が形成されている。そして、先端板５１は、ハウジング本体部５５の円筒状部分の一端に、例えば、ビス（図示せず）が用いられて取り付けられる、円環状板体部材とされている。
【００５１】
このようなハウジング部５０における円筒状部分を含んだハウジング本体部５５及び先端板５１は、例えば、プラスチック材（具体的には、例えば、ポリカーボネート樹脂材）によって作製される。また、ハウジング本体部５５の円筒状部分の断面の外形寸法は、例えば、４ｃｍ程度とされる。
【００５２】
そして、ハウジング部５０内には、発光ダイオード（ＬＥＤ）３０，透明パイプ３４，フレネルレンズ３５及び凸レンズ３６を含んで構成される発光を視認させるための発光手段と、コンデンサーマイクロホンとされたマイクロホン４０とスピーカー４１とが収容されている。発光手段は、ハウジング本体部５５における、各々が光を通す複数の貫通孔５４が設けられた円筒状部分及び光を通す貫通孔５３が形成された板状部材を成す先端板５１の内側に配されており、また、マイクロホン４０とスピーカー４１とは、ハウジング本体部５５における各々が音を通す複数の貫通孔５９が形成された円筒状部分の内部に配されている。
【００５３】
発光手段を構成する発光ダイオード３０は、ハウジング本体部５５の円筒状部分の内側に固定された基板５２に取り付けられている。また、発光ダイオード３０と共に発光手段を構成する透明パイプ３４は、発光ダイオード３０の側面側を包囲するものとされて、その一端が、基板５２に、例えば、接着剤が用いられて取り付けられるとともに、その他端が、先端板５１の中央部分に形成された貫通孔５３に係合せしめられている。そして、フレネルレンズ３５は、表面に凹凸が形成されたシード材料が円筒状に巻かれて成るものとされていて、透明パイプ３４の内側面に、例えば、接着剤が用いられて張り付けられて、発光ダイオード３０の側面側を包囲するものとされている。また、発光ダイオード３０と共に発光手段を構成する凸レンズ３６は、透明パイプ３４の他端に、例えば、接着剤が用いられて取り付けられて、先端板５１の中央部分に形成された貫通孔５３内に配されている。それにより、透明パイプ３４の内側面に張り付けられた円筒状を成すフレネルレンズ３５と透明パイプ３４の他端に取り付けられ凸レンズ３６とによって囲まれた空間内に、発光ダイオード３０が配されるようにされている。
【００５４】
このように構成される発光を視認させるための発光手段は、ハウジング本体部５５における各々が光を通す複数の貫通孔５４が形成された円筒状部分及び光を通す貫通孔５３が形成された先端板５１の内側に配されているので、発光ダイオード３０が発光状態におかれるときには、複数の貫通孔５４及び貫通孔５３が、発光ダイオード３０から発してフレネルレンズ３５及び凸レンズ３６を通じた光を、ハウジング部５０外におけるハウジング本体部５５の円筒状部分及び先端板５１の周囲へと放散させる。従って、このとき発光ダイオード３０からの光を放散するハウジング部５０は、その外部における極めて広い範囲に亙る位置から容易かつ明瞭に見出すことができるものとされる。
【００５５】
ハウジング部５０におけるハウジング本体部５５の円筒状部分の内部には、防塵フィルター５６が収められており、ハウジング本体部５５における漏斗状をなす部分と防塵フィルター５６とによって囲まれた空間内に、マイクロホン４０とスピーカー４１とが配されている。防塵フィルター５６，マイクロホン４０及びスピーカー４１は、ハウジング本体部５５の円筒状部分の内壁に設けられたボス部（図示せず）にビス（図示せず）によって取り付けられている。そして、ハウジング本体部５５の円筒状部分における基板５２と防塵フィルター５６との間となる部分に、複数の貫通孔５９が設けられている。なお、防塵フィルター５６は、音が自由に通過できるものとされる。
【００５６】
斯かるハウジング本体部５５の円筒状部分における基板５２と防塵フィルター５６との間となる部分に設けられた、各々が音を通す複数の貫通孔５９は、スピーカー４１からの音をハウジング部５０外におけるハウジング本体部５５の円筒状部分の周囲に放散させるとともに、ハウジング部５０外におけるハウジング本体部５５の円筒状部分の周囲からの音をマイクロホン４０に到達させる。従って、スピーカー４１は、それに供給される信号に応じて発する音を、ハウジング部５０の外部における広い範囲に亙って届かせることができ、また、マイクロホン４０は、ハウジング部５０の外部における広い範囲からの音を収音できて、それに応じた信号を発生させることになる。
【００５７】
なお、上述のようなハウジング部５０の中空可撓性チューブ１３の先端への取り付けは、中空可撓性チューブ１３に取り付けられたナット１４Ｂをハウジング部５０におけるハウジング本体部５５に設けられたネジ山５７に螺合させることによって行うことができる。
【００５８】
斯かる図６に示されるハウジング部５０を備えた実施例５にあっても、その動作及び作用効果は、実施例１の場合と略同様である。
【００５９】
図７は、本願の第１の発明に係る被災者探索用発光装置の第６の例（実施例６）における、実施例１におけるハウジング部２０に対応するハウジング部５０を示す。実施例６におけるハウジング部５０以外の部分は、実施例１の場合と同様に構成されるので、図示及び説明は省略される。
【００６０】
図７に示されるハウジング部５０にあっては、前述の実施例５におけるハウジング部５０と同様に構成された部分が多々含まれており、それらの部分については、図７において図６と共通の符号が付されて示されており、詳細説明は省略される。
【００６１】
図７に示されるハウジング部５０においては、実施例５における先端板５１に対応する先端板６１が、平板状でなく、ハウジング部５０の外方に向かって突出する凸レンズ状を成す凸面を有していて、その中央部分に光透過部を成す貫通孔５３が形成されている。この先端板６１は、例えば、ポリカーボネート樹脂材あるいはアクリル樹脂材等の透明な樹脂材により作製される。先端板６１をこのような形状を有するものとすることにより、実施例６が使用される際に、ハウジング部５０を、地震等の災害を受けて倒壊したビルディングや一般家屋等に閉じ込められた被災者の探索を行うベく、探索対象箇所に挿入しようとするとき、その挿入を円滑かつ用意に行うことができることになる。
【００６２】
斯かる図７に示されるハウジング部５０を備えた実施例６にあっても、その動作及び作用効果は、実施例１の場合と概ね同様とされる。
【００６３】
以下に、本願の第２の発明に係る被災者探索方法の一例（実施例７）について説明する。斯かる実施例７は、上述の本願の第１の発明に係る被災者探索用発光装置の各例、即ち、実施例１〜実施例６のいずれかを用いて実施される。
【００６４】
実施例７が実施されるにあたっては、先ず、実施例１〜実施例６のいずれかを第１の被災者探索用発光装置として用意し、それに加えて、少なくとも、例えば、実施例１における把持棒１０，中空可撓性チューブ１３，ハウジング部２０，発光ダイオード３０と第１のフレネルレンズ３１と第２のフレネルレンズ３２とを含んで構成される発光を視認させるための発光手段、及び、コントロール・ボックス１５に夫々対応する、中空の把持棒，屈曲可能とされて一端が把持棒の一端に取り付けられる中空可撓性チューブ，円筒状部分を含んだハウジング本体部とそれに連なる先端部分とを有して、ハウジング本体部が中空可撓性チューブの他端に取り付けられるハウジング部，ハウジング部内に収容された発光手段、及び、発光手段から中空可撓性チューブ内及び把持棒内を通じて伸びて把持棒の他端に至る配線が接続されるコントロール・ボックスとを備え、ハウジング部が、先端部分が発光手段が発する光を通す第１の貫通孔が中央部分に形成された凸面を有する板状体とされるとともにハウジング本体部の円筒状部分に発光手段が発する光を通す複数の第２の貫通孔が設けられて成る被災者探索用発光装置を、一つもしくは複数、例えば、二つ、第２の被災者探索用発光装置として用意する。その際、第１の被災者探索用発光装置及び二つの第２の被災者探索用発光装置の各々における発光手段が、互いに相違する色光を発するものとなるようにする。斯かる際における互いに相違する色光は、例えば、赤色光，白色光，青色光，緑色光，黄色光等のうちから選択される。
【００６５】
次に、ビルディングや一般家屋等が倒壊して生じた瓦礫の下に埋没した、あるいは、閉じ込められた被災者の探索を行うべく、瓦礫中の被災者の存在が想定される位置の周囲に、第１の被災者探索用発光装置及び二つの第２の被災者探索用発光装置の各々におけるハウジング部を配置する。斯かるハウジング部の配置に際しては、第１の被災者探索用発光装置及び二つの第２の被災者探索用発光装置の夫々における把持棒の伸縮動及び中空可撓性チューブの屈曲動を最大限に利用して、各ハウジング部を最も効果的と考えられる位置に到達させる。その際、第１の被災者探索用発光装置に関しては、コントロ−ル・ボックスに設けられたスイッチにより、ハウジング部内に収容されたマイクロホンに、コントロ−ル・ボックスから電気的に遮断された状態をとらせる。
【００６６】
その後、第１の被災者探索用発光装置及び二つの第２の被災者探索用発光装置の夫々について、コントロ−ル・ボックスに設けられたスイッチにより、ハウジング部内に収容された発光手段に互いに相違する色光を放散する状態をとらせるとともに、第１の被災者探索用発光装置の夫々について、コントロ−ル・ボックスに設けられたスイッチにより、ハウジング部内に収容されたマイクロホンに、コントロ−ル・ボックスに電気的に接続された状態をとらせる。
【００６７】
続いて、第１の被災者探索用発光装置におけるハウジング部内に収容されたマイクロホン及びスピーカーと第１の被災者探索用発光装置におけるコントロール・ボックスに接続されたヘッド・セットとを通じて、被災者との双方向通信を試みる。そして、被災者との双方向通信が行われる状態となったとき、被災者の存在を確認するとともに、存在が確認された被災者から、被災者が第１の被災者探索用発光装置及び二つの第２の被災者探索用発光装置の夫々におけるハウジング部から放散される互いに相違する色光を認識する方向についての情報を、各色光ごとに得る。
【００６８】
そして、得られた方向についての情報に基づいて、例えば、第１の被災者探索用発光装置及び二つの第２の被災者探索用発光装置の夫々におけるハウジング部の配置位置を基準にした三角法により、存在が確認された被災者の位置を特定する。
【００６９】
このような実施例７によれば、第１の被災者探索用発光装置及び二つの第２の被災者探索用発光装置の夫々における互いに相違する色光を放散するハウジング部を見付けた被災者の位置を、より一層確実かつ容易に特定することができる。
【００７０】
上述の実施例１〜実施例６のいずれにおいても、ハウジング部２０または５０に収容された発光手段が発光ダイオード３０を含んで構成されているが、発光手段を、発光ダイオード３０に代えて、所定の色光を発するランプを含んで構成されるものとすることができる。
【００７１】
同様に、実施例１〜実施例６のいずれにおいても、ハウジング部２０または５０に収容された発光手段が一つの発光ダイオード３０を含んで構成されているが、発光手段を、各々が互いに相違する色光を発する複数の発光ダイオードあるいは複数のランプを含んで構成されるものとすることもできる。
【００７２】
また、実施例１〜実施例６のいずれにおいても、コントロール・ボックス１５が把持棒１０の他端に取り付けられたものとされているが、コントロール・ボックス１５を、把持棒１０の他端に取り付けられたものでなく、把持棒１０から切り離なされたもとで、ハウジング部に収容された発光手段を構成する発光ダイオード３０，マイクロホン４０及びスピーカー４１から伸びて、中空可撓性チューブ１３及び中空の把持棒１０の内部を通じて把持棒１０の他端に導出される、配線３３及び４２が接続されるものとすることができる。
【００７３】
さらに、実施例１〜実施例６のいずれにおいても、コントロール・ボックス１５にヘッド・セット１６が接続されているが、ヘッド・セット１６に代えて、あるいは、ヘッド・セット１６に加えて、独立したマイクロホンとスピーカーとをコントロール・ボックスに接続することができる。
【００７４】
加えて、本願の第１の発明に係る被災者探索用発光装置にあっては、そのハウジング部にガスセンサーが組み込まれるとともに、コントロール・ボックスに表示部が設けられ、ガスセンサーの検出出力に基づく表示がコントロール・ボックスにおける表示部によりなされるようにすることもできる。さらに、場合によっては、把持棒１０の他端から把持棒１０内及び中空可撓性チューブ１３内を通ってハウジング部２０内にまで延びる可撓性のチューブが配され、斯かるチューブを通して、ハウジング部の周囲に酸素や空気等が送られるようにすることも可能である。
【００７５】
【発明の効果】
上述のような本願の第１の発明に係る被災者探索用発光装置によれば、発光を視認させるための発光手段により発せられてハウジング部の先端部分に設けられた光透過部を通じた光が、ハウジング部の先端部分、あるいは、ハウジング部の先端部分及びハウジング本体部の円筒状部分から、ハウジング部の周囲に放散されるので、被災者の探索が行われるとき、被災者にとって、光を放散するハウジング部は、それを容易に見付けることができるものとなる。それにより、被災者の探索を容易かつ確実に行うことができることになる。
【００７６】
また、本願の第１の発明に係る被災者探索用発光装置によれば、第１のスピーカーからの音が、ハウジング部におけるハウジング本体部の円筒状部分に設けられた貫通孔を通じて、ハウジング部外に容易に放散されるとともに、ハウジング部外からの音が、ハウジング部におけるハウジング本体部の円筒状部分に設けられた貫通孔を通じて、第１のマイクロホンに容易に到達するので、第１のスピーカー及び第１のマイクロホンとコントロール・ボックスに接続された第２のマイクロホン及び第２のスピーカーとの間で、災害現場における被災者への呼び掛け，被災者への応答，被災者との会話や連絡等の双方向通信を明瞭かつ容易に行うことができ、それによって、被災者の存在を確認することができるとともに、被災者の位置を確実かつ容易に特定することができる。
【００７７】
さらに、本願の第２の発明に係る被災者探索方法によれば、本願の第１の発明に係る被災者探索用発光装置が第１の被災者探索用発光装置として用いられ、それに加えて、第１の被災者探索用発光装置とは発光色が相違するものとされる一つもしくは複数の第２の被災者探索用発光装置が用いられて、第１及び第２の被災者探索用発光装置の夫々のハウジング部が被災者の存在が想定される位置の周囲に配置され、それにより被災者の存在を確認できるとともに、被災者が第１及び第２の被災者探索用発光装置の夫々のハウジング部から放散される光を認識する方向に基づいて、被災者の位置が特定されるので、第１及び第２の被災者探索用発光装置の夫々の光を放散するハウジング部を見付けた被災者の位置を、例えば、三角法により、より一層確実かつ容易に特定することができる。
【図面の簡単な説明】
【図１】  本願の第１の発明に係る被災者探索用発光装置の第１の例を示す斜視図である。
【図２】  図１に示される第１の例におけるハウジング部の構成を示す概略断面図である。
【図３】  本願の第１の発明に係る被災者探索用発光装置の第２の例におけるハウジング部の構成を示す概略断面図である。
【図４】  本願の第１の発明に係る被災者探索用発光装置の第３の例におけるハウジング部の構成を示す概略断面図である。
【図５】  本願の第１の発明に係る被災者探索用発光装置の第４の例におけるハウジング部の構成を示す概略断面図である。
【図６】  本願の第１の発明に係る被災者探索用発光装置の第５の例におけるハウジング部の構成を示す概略断面図である。
【図７】  本願の第１の発明に係る被災者探索用発光装置の第６の例におけるハウジング部の構成を示す概略断面図である。
【符号の説明】
１０・・・把持棒，  １１・・・中空パイプ，  １２・・・フック，  １３・・・中空可撓性チューブ，  １４Ａ，１４Ｂ・・・ナット，  １５・・・コントロール・ボックス，  １６・・・ヘッド・セット，  ２０，５０・・・ハウジング部，  ２１・・・キャップ部（先端部分），  ２２，５２・・・基板，  ２３，２９，５３，５４，５９・・・貫通孔，  ２４，２７，２８，５７・・・ネジ山，  ２５，５５・・・ハウジング本体部，  ２６，５６・・・防塵フィルター，  ３０・・・発光ダイオード，  ３１・・・第１のフレネルレンズ，  ３２・・・第２のフレネルレンズ，  ３３，４２・・・配線，  ３４・・・透明パイプ，  ３５・・・フレネルレンズ，  ３６・・・凸レンズ，  ４０・・・マイクロホン，  ４１・・・スピーカー，  ５１，６１・・・先端板
【図１】
0004275910.tif 000002
【図２】
0004275910.tif 000003
【図３】
0004275910.tif 000004
【図４】
0004275910.tif 000005
【図５】
0004275910.tif 000006
【図６】
0004275910.tif 000007
【図７】
0004275910.tif 000008